【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
電子文書内の選択されたオブジェクトをハイライトする方法であって、
前記方法は、
電子文書内に表示されたオブジェクトの選択を受信するステップと、
前記電子文書内に表示されたオブジェクトの選択の受信に応答して、メモリ位置内に画像を生成するステップと、
前記画像上に幾何学的アウトラインを描くステップであって、前記幾何学的アウトラインは前記選択されたオブジェクトを占めるために要求されるスペースを取り囲む経路を形成するサイズ及び形状であるステップと、
コンピューティングデバイスにて、前記経路の内側の前記選択されたオブジェクトの下側にあるスペースをハイライトのためのカラーの半透明色の着色画素にて満たす操作を行うことにより、前記選択されたオブジェクトのカラーを変えることなく前記選択されたオブジェクトをハイライトするステップと、
前記画像を、前記選択されたオブジェクトが表示される電子ディスプレイ画面上に、前記経路が前記ディスプレイ画面上の、前記選択されたオブジェクトによって占められるスペースを取り囲むやり方で描くステップと、
前記選択されたオブジェクトを、前記画像上に、前記選択されたオブジェクトが、前記経路によって取り囲まれた前記スペース内であって、前記経路の内側の前記スペースを満たす前記着色画素の上部に描かれるやり方で描くステップと
を含むことを特徴とする方法。
【請求項２】
前記経路の内側に形成されるスペースを着色画素にて満たすステップの前に、
前記選択されたオブジェクトを占めるために要求される前記スペースを取り囲むビジュアルなアウトラインを形成するために、前記経路上に第１の半透明のラインを描くステップをさらに含むことを特徴とする請求項１に記載の方法。
【請求項３】
前記第１の半透明のラインは、少なくとも２画素の幅を有することを特徴とする請求項２に記載の方法。
【請求項４】
前記第１の半透明のラインは、少なくとも３０％の透明性の値を有することを特徴とする請求項３に記載の方法。
【請求項５】
前記第１の半透明のラインは、白色のカラーを有することを特徴とする請求項４に記載の方法。
【請求項６】
前記第１の半透明のライン上に第２の半透明のラインをさらに描くステップであって、前記第２の半透明のラインは、前記第１の半透明のラインの幅よりも狭い幅を有するステップを含むことを特徴とする請求項２に記載の方法。
【請求項７】
前記第２の半透明のラインは、少なくとも１画素の幅を有することを特徴とする請求項６に記載の方法。
【請求項８】
前記第２の半透明のラインは、少なくとも４０％の透明性の値を有することを特徴とする請求項６に記載の方法。
【請求項９】
前記経路の内側に形成されるスペースを、前記選択されたオブジェクトに対するハイライトのためのカラーを生成するための着色画素にて満たすステップは、前記経路の内側に形成された前記スペースを、前記選択されたオブジェクトが表示される電子的ディスプレイ領域上に表示される１つまたは複数の着色画素とマッチする着色画素にて満たすステップをさらに含むことを特徴とする請求項１に記載の方法。
【請求項１０】
前記経路の内側に形成されたスペースを前記着色画素にて満たすステップは、前記経路の内側に形成されたスペースを、少なくとも４０％の透明性の値を有する着色画素にて満たすステップをさらに含むことを特徴とする請求項９に記載の方法。
【請求項１１】
前記幾何学的アウトラインは、通常、長方形であることを特徴とする請求項１に記載の方法。
【請求項１２】
前記画像上に幾何学的アウトラインを描くステップは、前記画像上に複数の幾何学的アウトラインを描くステップを含み、前記複数の幾何学的アウトラインの各々は異なるサイズを有し、前記複数の幾何学的アウトラインは、幾何学的アウトラインのグループとして、前記幾何学的アウトラインのグループの周囲に形成される経路が前記選択されたオブジェクトを占めるために要求されるスペースを取り囲むやり方で編成されることを特徴とする請求項１に記載の方法。
【請求項１３】
前記選択されたオブジェクトを占めるために要求されるスペースを取り囲む前記幾何学的アウトラインのグループの周囲に形成された前記経路上に第１の半透明のラインを描くステップをさらに含むことを特徴とする請求項１２に記載の方法。
【請求項１４】
第２の半透明のラインを前記第１の半透明のライン上に描くステップをさらに含み、前記第２の半透明のラインは、前記第１の半透明のラインの幅より狭い幅を有することを特徴とする請求項１３に記載の方法。
【請求項１５】
前記幾何学的アウトラインのグループの周囲に形成された経路の内側に形成されたスペースを、前記選択されたオブジェクトに対するハイライトのためのカラーを生成するための着色画素にて満たすステップをさらに含むことを特徴とする請求項１４に記載の方法。
【請求項１６】
前記幾何学的アウトラインのグループの周囲に形成された経路の内側に形成されるスペースを満たすステップは、前記スペースを、前記選択されたオブジェクトが表示される電子的ディスプレイ領域のカラーとマッチングする着色画素にて満たすステップをさらに含むことを特徴とする請求項１５に記載の方法。
【請求項１７】
前記幾何学的アウトラインのグループの周囲に形成された経路の内側に形成される前記スペースを満たすステップは、前記スペースを、少なくとも４０％の透明性の値を有する着色画素にて満たすステップをさらに含むことを特徴とする請求項１６に記載の方法。
【請求項１８】
前記幾何学的アウトラインのグループの周囲に形成された経路の内側に形成される前記スペースを着色画素にて満たすステップは、前記経路の内側に形成された前記スペース内の、複数の幾何学的アウトラインの間の交差するラインを形成する全ての画素を置換するステップをさらに含むことを特徴とする請求項１５に記載の方法。
【請求項１９】
コンピュータによって実行されたとき、電子文書内の選択されたオブジェクトをハイライトする方法をコンピュータに実行させる、コンピュータ実行可能命令を含むコンピュータ読み取り可能な記憶媒体であって、
前記方法は、
電子文書内に表示されたオブジェクトの選択を受信するステップと、
前記電子文書内に表示されたオブジェクトの選択の受信に応答して、メモリ位置内に画像を生成するステップと、
前記画像上に幾何学的アウトラインを描くステップであって、前記幾何学的アウトラインは、前記選択されたオブジェクトを占めるために要求されるスペースを取り囲む経路を形成するサイズ及び形状であるステップと、
前記経路上に、前記選択されたオブジェクトを占めるために要求される前記スペースを取り囲むビジュアルなアウトラインを形成するための第１の半透明のラインを描くステップと、
前記経路の内側の選択されたオブジェクトの下側にあるスペースをハイライトのためのカラーの半透明色の着色画素にて満たすことにより、前記選択されたオブジェクトのカラーを変えることなく選択されたオブジェクトをハイライトするステップと、
前記第１の半透明のラインを含む前記画像を、前記選択されたオブジェクトが表示される電子ディスプレイ画面上に、前記経路が前記選択されたオブジェクトによって占められる、前記ディスプレイ画面上のスペースを取り囲むやり方で描くステップと、
前記選択されたオブジェクトを前記画像上に、前記選択されたオブジェクトが、前記経路によって取り囲まれた前記スペース内であって、前記経路の内側の前記スペースを満たす前記着色画素の上部に描かれるやり方で描くステップと
を含むことを特徴とするコンピュータ読み取り可能な記憶媒体。
【請求項２０】
コンピュータによって実行されたとき、電子文書内の選択されたオブジェクトをハイライトする方法をコンピュータに実行させる、コンピュータ実行可能命令を含むコンピュータ読み取り可能な記憶媒体であって、
前記方法は、
電子文書内に表示されたテキストエントリの選択を受信するステップと、
前記電子文書内に表示されたテキストエントリの選択の受信に応答して、メモリ位置内にビットマップ画像を生成するステップと、
前記画像上に概ね長方形のアウトラインを描くステップであって、幾何学的なアウトラインは、前記選択されたテキストエントリを占めるために要求されるスペースを取り囲む経路を形成するサイズ及び形状であるステップと、
前記経路上に、前記テキストエントリを占めるために要求される前記スペースを取り囲むビジュアルなアウトラインを形成するための半透明のラインを描くステップと、
前記経路の内側の前記選択されたテキストエントリの下側にあるスペースをハイライトのためのカラーの半透明色の着色画素にて満たすことにより、前記選択されたテキストエントリのカラーを変えることなく前記選択されたテキストエントリをハイライトするステップと、
前記半透明のラインを含む前記ビットマップ画像を、前記選択されたテキストエントリが表示される電子ディスプレイ画面上に、前記経路が前記選択されたテキストエントリによって占められる、前記ディスプレイ画面上のスペースを取り囲むやり方で描くステップと、
前記選択されたテキストエントリを前記画像上に、前記選択されたテキストエントリが、前記経路によって取り囲まれた前記スペース内であって、前記経路の内側の前記スペースを満たす前記着色画素の上部に描かれるやり方で描くステップと
を含むことを特徴とするコンピュータ読み取り可能な記憶媒体。